(57)【特許請求の範囲】
【請求項１】
地図をディスプレイに表示する携帯端末であって、
当該携帯端末が無線基地局と交信した際に、基地局位置情報を取得する基地局交信手段と、
前記基地局位置を記憶するメモリ手段と、
当該携帯端末の現在位置をＧＰＳ(Global Positioning System)で測位すると共に、誤差楕円を算出する測位手段と、
前記地図をディスプレイに表示する際に、前記メモリ手段に対して前記基地局位置を要求すると同時に、前記測位手段に対して測位位置を要求する測位制御手段と、
前記測位手段によって前記測位位置を取得できるまでの間に、前記測位制御手段によって取得された前記基地局位置に基づく第１の地図をディスプレイに表示し、その後、前記測位位置に基づく第２の地図をディスプレイに表示すると共に、前記誤差楕円の範囲が、前記基地局位置に基づく第１の地図の範囲よりも広い場合、第１の地図のみをディスプレイに表示する表示制御手段と
を有することを特徴とする携帯端末。
【請求項２】
前記表示制御手段について、第１の地図は、前記無線基地局によってカバーされる範囲の縮尺の地図であり、第２の地図は、第１の地図よりも縮尺が短い地図であることを特徴とする請求項１に記載の携帯端末。
【請求項３】
前記表示制御手段は、第１の地図を表示した後、滑動するようにスクロールして第２の地図を表示することを特徴とする請求項１又は２に記載の携帯端末。
【請求項４】
地図をディスプレイに表示する携帯端末に搭載されコンピュータを機能させるプログラムであって、
当該携帯端末が無線基地局と交信した際に、基地局位置情報を取得する基地局交信手段と、
前記基地局位置を記憶するメモリ手段と、
当該携帯端末の現在位置をＧＰＳ(Global Positioning System)で測位すると共に、誤差楕円を算出する測位手段と、
前記地図をディスプレイに表示する際に、前記メモリ手段に対して前記基地局位置を要求すると同時に、前記測位手段に対して測位位置を要求する測位制御手段と、
前記測位手段によって前記測位位置を取得できるまでの間に、前記測位制御手段によって取得された前記基地局位置に基づく第１の地図をディスプレイに表示し、その後、前記測位位置に基づく第２の地図をディスプレイに表示すると共に、前記誤差楕円の範囲が、前記基地局位置に基づく第１の地図の範囲よりも広い場合、第１の地図のみをディスプレイに表示する表示制御手段と
してコンピュータを機能させることを特徴とする携帯端末用のプログラム。
【請求項５】
前記表示制御手段について、第１の地図は、前記無線基地局によってカバーされる範囲の縮尺の地図であり、第２の地図は、第１の地図よりも縮尺が短い地図であるようにコンピュータを機能させることを特徴とする請求項４に記載の携帯端末用のプログラム。
【請求項６】
前記表示制御手段は、第１の地図を表示した後、滑動するようにスクロールして第２の地図を表示するようにコンピュータを機能させることを特徴とする請求項４又は５に記載の携帯端末用のプログラム。
【発明の詳細な説明】
【技術分野】
【０００１】
本発明は、ディスプレイを搭載した携帯端末及びそのプログラムに関する。特に、現在位置に基づく地図をそのディスプレイに表示することができる携帯端末等に関する。
【背景技術】
【０００２】
従来、例えば携帯電話機のような携帯端末に、現在位置に基づく地図を表示するサービスが提供されている。携帯端末は、ＧＰＳ(Global Positioning System)のような測位機能を用いて、現在位置を測位する。そして、携帯端末は、測位した現在位置情報（例えば緯度経度）を、無線ネットワークを介してサーバへ送信する。これに対し、サーバは、その現在位置情報に基づく地図情報を、携帯端末へ送信する。携帯端末は、そのディスプレイに、現在位置に基づく地図情報を表示する。
【０００３】
また、携帯端末が、地図情報を予め蓄積しておき、現在位置に基づく地図をディスプレイに表示させる技術もある（例えば特許文献１参照）。この技術によれば、携帯端末が、目的位置に近づいた際に、予め蓄積した地図情報にその現在位置が含まれる場合に、その周辺の地図を表示する。予め蓄積している地図情報とは、例えば、携帯端末を所持する利用者が訪れる場所の地図情報である。
【０００４】
更に、携帯端末が、現在位置情報を要求した際、基地局が当該端末の存在する無線ゾーンを特定し、その無線ゾーンの緯度経度を携帯端末へ送信する技術がある（例えば特許文献２参照）。この技術によれば、取得した緯度経度に基づいて、再度、地図情報を地図サーバから取得する必要がある。
【０００５】
【特許文献１】特開２００６−０１０４４１号公報
【特許文献２】特開２００７−１０４３９８号公報
【発明の開示】
【発明が解決しようとする課題】
【０００６】
しかしながら、ＧＰＳを用いた現在位置の測位には数十秒程度の時間を要する。従って、利用者が、現在位置に基づく地図を、携帯端末のディスプレイに表示しようとした場合、ＧＰＳによる測位中、何らの地図も表示されない状態で、ただ待たされることとなる。
【０００７】
また、ＧＰＳの衛星からの電波が受信できない場所で測位をすると、長時間も測位に時間を要した後、結局、測位できないという結果となる。このとき、長時間も測位に時間を要した後、結局、何らの地図も表示されない。
【０００８】
従って、本発明は、現在位置の測位中又は測位失敗であっても、現在位置に基づく概略的な地図情報を表示することによって、利用者の利便性を高めることができる携帯端末及びプログラムを提供することを目的とする。
【課題を解決するための手段】
【０００９】
本発明によれば、地図をディスプレイに表示する携帯端末であって、
当該携帯端末が無線基地局と交信した際に、基地局位置情報を取得する基地局交信手段と、
基地局位置を記憶するメモリ手段と、
当該携帯端末の現在位置をＧＰＳ(Global Positioning System)で測位すると共に、誤差楕円を算出する測位手段と、
地図をディスプレイに表示する際に、メモリ手段に対して基地局位置を要求すると同時に、測位手段に対して測位位置を要求する測位制御手段と、
測位手段によって測位位置を取得できるまでの間に、測位制御手段によって取得された基地局位置に基づく第１の地図をディスプレイに表示し、その後、測位位置に基づく第２の地図をディスプレイに表示すると共に、誤差楕円の範囲が、基地局位置に基づく第１の地図の範囲よりも広い場合、第１の地図のみをディスプレイに表示する表示制御手段と
を有することを特徴とする。
【００１１】
本発明の携帯端末における他の実施形態によれば、表示制御手段について、第１の地図は、無線基地局によってカバーされる範囲の縮尺の地図であり、第２の地図は、第１の地図よりも縮尺が短い地図であることも好ましい。
【００１２】
本発明の携帯端末における他の実施形態によれば、表示制御手段は、第１の地図を表示した後、滑動するようにスクロールして第２の地図を表示することも好ましい。
【００１３】
本発明によれば、地図をディスプレイに表示する携帯端末に搭載されコンピュータを機能させるプログラムであって、
当該携帯端末が無線基地局と交信した際に、基地局位置情報を取得する基地局交信手段と、
基地局位置を記憶するメモリ手段と、
当該携帯端末の現在位置をＧＰＳ(Global Positioning System)で測位すると共に、誤差楕円を算出する測位手段と、
地図をディスプレイに表示する際に、メモリ手段に対して基地局位置を要求すると同時に、測位手段に対して測位位置を要求する測位制御手段と、
測位手段によって測位位置を取得できるまでの間に、測位制御手段によって取得された基地局位置に基づく第１の地図をディスプレイに表示し、その後、測位位置に基づく第２の地図をディスプレイに表示すると共に、誤差楕円の範囲が、基地局位置に基づく第１の地図の範囲よりも広い場合、第１の地図のみをディスプレイに表示する表示制御手段と
してコンピュータを機能させることを特徴とする。
【００１５】
本発明の携帯端末用のプログラムにおける他の実施形態によれば、表示制御手段について、第１の地図は、無線基地局によってカバーされる範囲の縮尺の地図であり、第２の地図は、第１の地図よりも縮尺が短い地図であるようにコンピュータを機能させることも好ましい。
【００１６】
本発明の携帯端末用のプログラムにおける他の実施形態によれば、表示制御手段は、第１の地図を表示した後、滑動するようにスクロールして第２の地図を表示するようにコンピュータを機能させることも好ましい。
【発明の効果】
【００１７】
本発明の携帯端末及びプログラムによれば、現在位置の測位中又は測位失敗であっても、既に携帯端末内に保持された交信可能な基地局位置に基づく周辺地図を迅速に表示することによって、利用者の利便性を高めることができる。
【発明を実施するための最良の形態】
【００１８】
以下では、図面を用いて、本発明を実施するための最良の形態について詳細に説明する。
【００１９】
図１は、無線基地局及びＧＰＳに基づく地図情報の範囲の説明図である。
【００２０】
携帯端末は、通常、交信する無線基地局における基地局位置情報を取得することができる。また、本発明における携帯端末は、測位機能を有し、ＧＰＳの衛星から発信された電波を受信することによって現在位置を測位することができる。図１に表されているように、基地局位置情報によって、交信可能な無線基地局毎の範囲でその位置を特定できる。一方、ＧＰＳの衛星によって測位した場合は、かなり狭い範囲（例えば１０ｍ程度）で、現在位置を特定することができる。
【００２１】
図２は、本発明における携帯端末の機能構成図である。
【００２２】
図２によれば、携帯端末１は、基地局交信部１０１と、測位部１０２と、メモリ部１０３と、測位制御部１０４と、表示制御部１０５と、ディスプレイ部１０６と、携帯端末機能部１０７、地図情報蓄積部１０８とを有する。地図情報蓄積部１０８は、携帯端末１がディスプレイ部１０６に表示すべき全ての地図情報を蓄積している。携帯端末機能部１０７は、携帯端末における本発明の機能以外の一般的な機能を実現する。尚、測位制御部１０４及び表示制御部１０５は、携帯端末１に搭載されたコンピュータを機能させるプログラムを実行することによっても実現できる。
【００２３】
基地局交信部１０１は、携帯端末１が存在する領域をカバーする無線基地局と交信した際に、基地局位置情報を取得する。基地局位置情報は、例えば無線基地局の位置する緯度経度である。その基地局位置情報は、メモリ部１０３へ通知される。
【００２４】
測位部１０２は、携帯端末１の現在位置を測位する。例えば、ＧＰＳの衛星から発信された電波を受信することによって、現在位置の緯度経度を測位する。
【００２５】
メモリ部１０３は、基地局交信部１０１によって取得された基地局位置情報を記憶する。これにより、携帯端末１は、測位部１０２によって測位する前であっても、無線基地局毎の範囲でその位置を特定できる。
【００２６】
測位制御部１０４は、地図をディスプレイに表示する際に、メモリ部１０３に対して基地局位置を要求すると同時に、測位部１０２に対して測位位置を要求する。このとき、測位制御部１０４は、メモリ部１０３からは直ぐに基地局位置情報を取得することができる。その基地局位置情報は、表示制御部１０５へ出力される。その後、測位部１０２に基づく測位時間の経過後に、測位制御部１０４は、測位部１０２から測位位置情報を取得する。その測位位置情報も、表示制御部１０５へ出力される。このように、メモリ部１０３に蓄積した基地局位置情報を取得する時間は、測位部１０２から測位位置情報を取得する時間と比較して極めて短時間で完了する。
【００２７】
表示制御部１０５は、地図情報蓄積部１０８を用いて、基地局位置情報に基づく第１の地図をディスプレイに表示した後、測位位置情報に基づく第２の地図をディスプレイに表示する。第１の地図をディスプレイに表示することによって、携帯端末１の利用者は、交信可能な無線基地局を中心とする大まかな周辺地図を閲覧することができる。その後、第２の地図をディスプレイに表示することによって、測位位置を中心する周辺地図を閲覧することができる。本発明によれば、測位位置を中心とする周辺地図を閲覧する前に、無線基地局を中心とする大まかな周辺地図を利用者に提供することができる。
【００２８】
図３は、本発明における携帯端末内のシーケンス図である。
【００２９】
（Ｓ３００）基地局交信部１０１は、携帯端末１が無線基地局２と交信する際に、基地局位置情報を取得する。その基地局位置情報は、メモリ部１０３に蓄積される。
（Ｓ３０１）利用者が現在位置に基づく地図情報を閲覧しようとしたとする。このとき、測位制御部１０４は、メモリ部１０３及び測位部１０２へ、位置情報取得要求を同時に送信する。測位部１０２は、位置情報取得要求を受信した後、測位を開始する。
（Ｓ３０２）メモリ部１０３は、測位制御部１０４から位置情報取得要求を受信すると、基地局位置情報を測位制御部１０４へ返信する。
（Ｓ３０３）測位制御部１０４は、メモリ部１０３から基地局位置情報を取得すると、その基地局位置情報を表示制御部１０５へ出力する。これにより、表示制御部１０５は、地図情報蓄積部１０８を用いて、基地局位置情報に基づく第１の地図をディスプレイ部１０６に表示する。
（Ｓ３０４）測位部１０２は、測位が完了するまで、数十秒を要する。測位が完了すると、測位部１０２は、測位位置情報を測位制御部１０４へ返信する。
（Ｓ３０５）測位制御部１０４は、測位部１０２から測位位置情報を取得すると、その測位位置情報を表示制御部１０５へ出力する。これにより、表示制御部１０５は、地図情報蓄積部１０８を用いて、基地局位置情報に基づく第２の地図をディスプレイ部１０６に表示する。
【００３０】
図４は、表示地図のスクロールを表す画面表示図である。
【００３１】
図４によれば、最初に、基地局位置を中心とした第１の地図が表示され、次に、測位位置を中心とした第２の地図が表示されている。ここで、表示制御部１０５について、第１の地図は、無線基地局によってカバーされる範囲の縮尺の地図を表示し、第２の地図は、第１の地図よりも縮尺が短い地図を表示することが好ましい。この場合、測位部１０２に基づく測位中の時間は、基地局位置を中心とする大まかな地図が表示され、測位が完了すると、地図が滑動するようにスクロールして、測位位置を中心とする地図が表示される。
【００３２】
図５は、ＧＰＳによる測位結果の誤差楕円を表す説明図である。
【００３３】
測位部１０２は、ＧＰＳによって携帯端末１の現在位置を測位する場合、誤差楕円を求めることができる。誤差楕円は、長軸半径誤差と、短軸半径誤差と、長軸角度とによって表される。図５によれば、網掛けされた部分が、携帯端末１の測位位置に対する誤差楕円範囲である。この誤差楕円範囲が、基地局位置に基づく第１の地図の範囲（図１参照）よりも広い場合、表示制御部１０５は、第１の地図のみをディスプレイに表示し、第２の地図を表示しないようにすることが好ましい。あえて、誤差範囲の広い第２の地図を表示する意味が無いからである。基地局位置に基づく第１の地図の範囲を予め決定しておくことにより、その規定範囲より誤差楕円範囲が狭い場合にのみ、第２の地図をディスプレイに表示することもできる。
【００３４】
以上、詳細に説明したように、本発明の携帯端末及びプログラムによれば、現在位置の測位中又は測位失敗であっても、既に携帯端末内に保持された交信可能な基地局位置に基づく周辺地図を迅速に表示することによって、利用者の利便性を高めることができる。また、本発明によれば、利用者が、現在位置の周辺地図を表示しようとした際に、利用者に特別な操作を要求することもなく、測位中に、概略的な周辺地図を、携帯端末のディスプレイに表示することができる。
【００３５】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００３６】
【図１】無線基地局及びＧＰＳに基づく地図情報の範囲の説明図である。
【図２】本発明における携帯端末の機能構成図である。
【図３】本発明における携帯端末内のシーケンス図である。
【図４】表示地図のスクロールを表す画面表示図である。
【図５】ＧＰＳによる測位結果の誤差楕円を表す説明図である。
【符号の説明】
【００３７】
１  携帯端末
１０１  基地局交信部
１０２  測位部
１０３  メモリ部
１０４  測位制御部
１０５  表示制御部
１０６  ディスプレイ部
１０７  携帯端末機能部
１０８  地図情報蓄積部
２  無線基地局
３  ＧＰＳの衛星
【図１】
0005389336.tif 000002
【図２】
0005389336.tif 000003
【図３】
0005389336.tif 000004
【図４】
0005389336.tif 000005
【図５】
0005389336.tif 000006